(57)【特許請求の範囲】
【請求項１】
空気輸送管路に開口する排出口が形成された粉体貯槽と、該粉体貯槽内に回転自在に配設され外周部の周方向に粉体を導入し該排出口に排出するための上開口及び下開口を有する複数個の計量室が形成された回転テーブルと、該回転テーブルの回転方向における該排出口の前後に配設され該上開口及び下開口をそれぞれ閉塞させる上部閉塞部材及び下部閉塞部材と、エアバッグを有し該上部閉塞部材及び下部閉塞部材の各々を該計量室に向け押圧する押圧手段とを備え、
該エアバッグに、該空気輸送管路を流れる圧力空気が導かれている、ことを特徴とする粉体供給装置。
【請求項２】
該空気輸送管路の該粉体貯槽の排出口より上流の圧力空気が、該エアバッグに導かれている、請求項１記載の粉体供給装置。
【請求項３】
該押圧手段はさらに、該下部閉塞部材を該計量室に向けて付勢する付勢手段を備えている、請求項１又は２記載の粉体供給装置。
【請求項４】
該付勢手段は、圧縮ばねを備えている、請求項３記載の粉体供給装置。
【発明の詳細な説明】
【０００１】
【発明の属する技術分野】
本発明は、粉体供給装置、さらに詳しくは、複数個の計量室を備える回転テーブルを利用して、粉体貯槽内の粉体を、連続的にかつ定量的に空気輸送管路に供給する粉体供給装置に関する。
【０００２】
【従来の技術】
複数個の計量室を備える回転テーブルにより、粉体貯槽内の粉体を、連続的にかつ定量的に空気輸送管路に供給する粉体供給装置の一つの典型例は、空気輸送管路に開口する排出口が形成された粉体貯槽と、粉体貯槽内に回転自在に配設され外周部の周方向に粉体を導入し排出口に排出するための上開口及び下開口を有する複数個の計量室が形成された回転テーブルとを備えている。回転テーブルが駆動モータにより回転されると、計量室の各々は、粉体が導入される導入部、排出口に排出される排出部、並びに排出口の回転方向前後に形成され計量室の上開口及び下開口が閉塞される前側閉塞部及び後側閉塞部を通して移動される。
【０００３】
導入部において計量室に導入された粉体は、続く前側閉塞部において上開口及び下開口が閉塞され計量室の容量に規定され計量される。続く排出部に計量室が移動すると、上開口及び下開口の閉塞は解除され、粉体は排出口を通して空気輸送管路に排出される。排出された粉体は、空気輸送管路を流れる圧力空気により所定の場所に送られる。
【０００４】
排出部において粉体の排出された空の計量室は、続く後側閉塞部に通され上開口及び下開口が閉じられる。この閉塞された計量室の中には、排出部において連通した空気輸送管路の圧力空気が流入している。後側閉塞部を通過した計量室は、再び粉体貯槽内の導入部に移動し、空の計量室に粉体が再び導入される。
【０００５】
かくして粉体は、回転テーブルの、計量室の容積、回転数などを規定することにより、連続的にかつ定量的に空気輸送管路に供給される。
【０００６】
上述のように構成された粉体供給装置において、粉体の排出口の前後に形成された閉塞部は、計量室を閉塞し粉体を計量する目的の他に、重要な役目を有している。すなわち、前側閉塞部及び後側閉塞部によって、空気輸送管路を流れる圧力空気が粉体貯槽の中に流れ込むのが阻止されている。空気輸送管路の圧力空気が粉体貯槽の中に多量に漏れてしまうと、粉体の適切な輸送が不可能になる。したがって、計量室の上下の開口を閉じる例えば上開口に摺接するすり切り板、下開口に摺接する底壁などの閉塞部材と、計量室とのすき間は、極力小さくし、圧力空気の漏れをできるだけ回避することが重要である。
【０００７】
一方、これらの閉塞部材には、計量室の側から空気輸送管路の圧力空気によって押離そうとする押離力が作用する。そこで、閉塞部材が押離されすき間が大きくならないようにするために、閉塞部材は、この押離力に対向して計量室に向け、ばね、ゴムなどの手段によって押付けられ、あるいはボルトなどによって押付方向のすき間を所定の大きさに保持するようにして取付けられている。この押離力は、圧力空気の圧力の大きさに応じて変動する。すなわち、輸送粉体の種類、輸送距離、輸送高さなどによって変動する。そこで、ばね、ゴムなどによる閉塞部材を押付ける押圧力の大きさは、閉塞部材に作用する押離力の最大値よりも大きくなるように設定されている。
【０００８】
【発明が解決しようとする課題】
しかしながら、上述したとおりの形態の従来の粉体供給装置には、次のとおりの解決すべき問題がある。
【０００９】
（１）摺接部分の損傷：
ばね、ゴムなどにより閉塞部材を計量室へ押付ける実際の押圧力は、ばね、ゴムなどによる押圧力と、逆方向に作用する押離力との差になるので、空気輸送管路の圧力空気の圧力が低く押離力が小さい場合においては、閉塞部材は不必要な大きな押圧力により計量室に押付けられる。また、計量室と閉塞部材との間に噛み込まれる粉粒、異物なども、この大きな押圧力で押付けられる。したがって、計量室と閉塞部材の摺接部分の摩耗が増加する、摺接部分が損傷するなどの問題が発生する。
【００１０】
（２）粉塵の発生、かさ密度の減少：
閉塞部材と計量室との摺接部分が摩耗、損傷し、すき間が適切に保持されなくなると、粉体貯槽内に漏れる圧力空気も多くなり、貯槽内の粉体が吹き上げられる。そして、粉塵が生ずる、粉体に空気が混入し粉体のかさ密度（単位容積当たりの粉体の重量）が小さくなり計量室に導入される粉体の量が少なくなって定量性が保持できなくなる、などの問題が発生する。
【００１１】
（３）回転テーブルの駆動不具合：
閉塞部材が計量室に過度に押付けられると、また摺接部分が損耗すると、回転テーブルを回転させる駆動モータの負荷が大きくなる、回転が不安定になる、さらには回転が停止してしまう、などの問題が発生する。
【００１２】
本発明は上記事実に鑑みてなされたもので、その主たる技術的課題は、複数個の計量室を備える回転テーブルを利用して、粉体を連続的にかつ定量的に空気輸送管路に供給する粉体供給装置において、空気輸送管路と粉体貯槽内との間を閉塞させる閉塞部材を計量室に押付ける押圧力が、計量室の側から閉塞部材を押離そうとする押離力が変動しても実質上変動することがないように、また過度に押圧することがないようにし、計量室と閉塞部材の摺接部分が損傷する問題、粉塵が発生する問題、また粉体の定量性が保持できなくなる問題、さらに回転テーブルの駆動不具合の問題、などを解決することができるようにした、粉体供給装置を提供することである。
【００１３】
【課題を解決するための手段】
本発明においては、上記技術的課題を解決する粉体供給装置として、空気輸送管路に開口する排出口が形成された粉体貯槽と、該粉体貯槽内に回転自在に配設され外周部の周方向に粉体を導入し該排出口に排出するための上開口及び下開口を有する複数個の計量室が形成された回転テーブルと、該回転テーブルの回転方向における該排出口の前後に配設され該上開口及び下開口をそれぞれ閉塞させる上部閉塞部材及び下部閉塞部材と、エアバッグを有し該上部閉塞部材及び下部閉塞部材の各々を該計量室に向け押圧する押圧手段とを備え、該エアバッグに、該空気輸送管路を流れる圧力空気が導かれている、ことを特徴とする粉体供給装置が提供される。
【００１４】
本発明による粉体供給装置においては、閉塞部材を押圧する押圧手段にエアバッグが備えられ、エアバッグには空気輸送管路の圧力空気が導かれる。そして、圧力空気の圧力変動により計量室の側から閉塞部材に作用する押離力が変動しても、エアバッグにより閉塞部材に作用する押圧力も圧力空気の圧力変動に応じて変動するので、閉塞部材を計量室に押付ける閉塞部材の重量などによる実際の押圧力を実質上変動のないものにすることができ、また押圧力を過度に大きくしなくてもよいようにすることができる。
【００１５】
好適実施形態においては、該空気輸送管路の該粉体貯槽の排出口より上流の圧力空気が、該エアバッグに導かれている。
【００１６】
そして、上流側の安定した圧力空気をエアバッグに導くとともに、粉体貯槽から空気輸送管路に排出された粉体、粉塵などの異物がエアバッグに混入しないようにする。
【００１７】
好適実施形態においては、該押圧手段はさらに、該下部閉塞部材を該計量室に向けて付勢する付勢手段を備えている。また、該付勢手段は、圧縮ばねを備えている。
【００１８】
そして、下部閉塞部材をエアバッグによる押圧力の他に付勢手段により下部閉塞部材を保持しさらに計量室に向けて付勢することにより、下部閉塞部材を計量室から離す方向に働く下部閉塞部材の重量などの影響を除くことができ、さらに付勢力によって下部閉塞部材の実際の押圧力を任意に、例えば上部閉塞部材の押圧力に相当する力に容易に設定することができる。
【００１９】
【発明の実施の形態】
以下、本発明に従って構成された粉体供給装置の好適実施形態を図示している添付図面を参照して、さらに詳細に説明する。
【００２０】
図１〜図３を参照して説明すると、図示の粉体供給装置は、空気輸送管路２に開口する排出口４を有する粉体貯槽６と、粉体貯槽６内に回転自在に配設され外周部の周方向に、粉体を導入し排出口４に排出するための上開口８ａ及び下開口８ｂを有する複数個の計量室８が形成された回転テーブル１０と、回転テーブル１０の回転方向（図２に矢印Ｒで示す）における排出口４の前後に配設され上開口８ａを閉塞させる上部閉塞部材である上部すり切り板１２及び下開口８ｂを閉塞させる下部閉塞部材である下部すり切り板１４と、上部すり切り板１２及び下部すり切り板１４の各々を、エアバッグ１６を有し計量室８に向け押圧する押圧手段１８とを備えている。
【００２１】
粉体貯槽６は、円板状の底壁２０と、底壁２０の周縁部から上方に延び基本的に円筒状に形成された周壁２２を有する下部貯槽２４及びそれに続く上部貯槽２６とを備えている。下部貯槽２４は、平面視（図２）において周壁２２の一部を矩形状に外方に突出させた突出部２８を備えている。突出部２８の上端部は上部貯槽２６のフランジ２７によって閉じられ、下端部は底壁２０に取付けられたカバー３０によって閉じられている。この突出部２８内に排出口４が位置付けられ、上端部及び下端部に空気輸送管路２が連結されている。粉体貯槽６の底壁２０は支持フレーム３２に取付けられている。支持フレーム３２には回転軸３４が回転自在に支持され、その一端部（上端部）は底壁２０を貫通し粉体貯槽６の中に突出するよう位置付けられている。回転軸３４と底壁２０との間にはそれ自体周知のもので構成することができる軸受・シール手段３６が介在されている。回転軸３４の上端部は回転テーブル１０に固定されている。回転軸３４の他端部（下端部）は支持フレーム３２の下端に取付けられた駆動モータである電動モータ３８にチェーンカップリング４０を介して連結されている。
【００２２】
回転テーブル１０は、上下二枚の円板によって形成された本体部４２と、板部材を環状に丸めて形成され本体部４２の外周部に取付けられた内環４４と、この内環４４の周方向に所定の間隔で放射状に立設された複数個の仕切板４６と、仕切板４６の半径方向先端に一体的に取付けられた板部材を環状に丸めて形成された外環４８とを備えている。内環４４、外環４８並びに隣り合った一対の仕切板４６、４６によって、上開口８ａ及び下開口８ｂを有する計量室８が形成されている。円板状の本体部４２の中心部には回転軸３４が固定される円筒状のボス５０が備えられている。回転テーブル１０は、粉体貯槽６に対し回転軸３４の軸線方向の動きがないように規制され取付けられている。
【００２３】
上部すり切り板１２及び下部すり切り板１４は、排出口４を中心にした回転方向Ｒの前後において、少なくとも一個以上の計量室８の上開口８ａ及び下開口８ｂを常に閉塞するようにして（図示の形態では二個）、平面視（図２）で略台形状に、厚板部材により、実質上同じ大きさに形成されている。上部すり切り板１２及び下部すり切り板１４の各々は、その一面が回転テーブル１０の計量室８に摺接される摺接面を形成し、他面は押圧手段１８に備えられた上部エアバッグサポート５２及び下部エアバッグサポート５４にそれぞれ当接している。上部すり切り板１２は上部エアバッグサポート５２に、下部すり切り板１４は下部エアバッグサポート５４にそれぞれ、ノックピン５６により、当接した平面上における移動を固定され連結されている。上部すり切り板１２及び下部すり切り板１４は、扱われる粉体の種類に応じて適宜の材料、例えばステンレス鋼板、樹脂板などによって形成されている。
【００２４】
排出口４は、上述の上部すり切り板１２及び下部すり切り板１４に形成されるとともに、押圧手段１８（押圧手段１８については後に詳述する）の上部エアバッグサポート５２、上部案内板５８、並びに下部エアバッグサポート５４、下部案内板６０それぞれを連通して形成されている。また、排出口４は、回転テーブル１０の計量室８の一個に、その上開口８ａ及び下開口８ｂを通して連通するように配設されている。
【００２５】
かくして、計量室８の各々は、回転テーブル１０が矢印Ｒ（図２）の方向に回転されると、符号Ｘで示す粉体が導入される導入部及び符号Ｙで示す粉体が排出口４に排出される排出部を通って移動される。導入部Ｘ及び排出部Ｙにおいては上開口８ａ及び下開口８ｂは開口されている。そして、回転方向Ｒの排出部Ｙの前後に、上部すり切り板１２及び下部すり切り板１４によって上開口８ａ及び下開口８ｂが閉塞される符号Ｚ１で示す前側閉塞部及び符号Ｚ２で示す後側閉塞部が形成される。
【００２６】
押圧手段１８は、上部すり切り板１２に上方から当接された上部エアバッグサポート５２、上部エアバッグサポート５２を上下方向の移動のみを可能にして案内する粉体貯槽６に固定された上部案内板５８、上部エアバッグサポート５２と上部案内板５８との間に収容された一対のエアバッグ１６、１６、並びに下部すり切り板１４に下方から当接された下部エアバッグサポート５４、下部エアバッグサポート５４を上下方向の移動のみを可能にして案内する粉体貯槽６に固定された下部案内板６０、下部エアバッグサポート５４と下部案内板６０との間に収容された一対のエアバッグ１６、１６とを備えている。四個のエアバッグ１６は、前側閉塞部Ｚ１及び後側閉塞部Ｚ２の各々において、それぞれ計量室８の上下に対向して位置付けられ配設されている。
【００２７】
エアバッグ１６は、平面視（図２）において略正方形を成す平坦な袋状に合成ゴムにより形成されている。一方の平坦面の中央部には圧力空気を導入するための配管口金１６ａが備えられている。このエアバッグ１６の方形の面積によって押圧面積が規定され、その大きさは上述の閉塞される計量室８の開口面積二個分と同じ大きさに形成されている。
【００２８】
上部エアバッグサポート５２及び下部エアバッグサポート５４は、平面視（図２）において上部すり切り板１２及び下部すり切り板１４と略同じ大きさの台形状に形成されている。下部エアバッグサポート５４の形状は、回転方向Ｒの両端部の下部すり切り板１６と当接しない面側に一対のばね受け凹部６２が形成されている以外、上部エアバッグサポート５２と実質的に同一である。上部エアバッグサポート５２において説明すると、回転方向Ｒにおける台形状の中央部には排出口４を形成する円筒部６４が形成され、その回転方向Ｒの両側の、上部すり切り板１２と当接しない面側にエアバッグ１６が収容される平面視（図２）で正方形の一対の凹部６６、６６が形成されている。上部エアバッグサポート５２及び下部エアバッグサポート５４と、上部すり切り板１２及び下部すり切り板１４各々との間には、前述のノックピン５６が介在されている。
【００２９】
上部案内板５８及び下部案内板６０も、平面視（図２）において上部すり切り板１２及び下部すり切り板１４と略同じ大きさの台形状に形成されている。上部案内板５８及び下部案内板６０は、実質的に同一の形状に形成され、中央部に円筒部６８が、その両側にエアバッグサポート５２、５４の一対凹部６６、６６に対応して嵌合する一対の凸部７０、７０が形成されている。一対の凸部７０、７０の中央にはエアバッグ１６の配管口金１６ａを通すための開口７２が形成されている。円筒部６８の内周面には、前述のエアバッグサポート５２、５４の円筒部６４が軸線方向に移動自在にそれぞれ嵌合され、嵌合部分は周知のシール手段であるクワッドリング７４によってシールされている。また、上部エアバッグサポート５２と上部案内板５８、下部エアバッグサポート５４と下部案内板６０との間にはそれぞれ、パッキン７６が取付けられている。
【００３０】
この上部案内板５８は粉体貯槽６のフランジ２７に、また下部案内板６０は底壁２０に取付けられたカバー３０にそれぞれ取付けられている。なお、フランジ２７及びカバー３０の各々には上部案内板５８及び下部案内板６０の空気配管を連結する部分を開放するための矩形の開口７８が形成されている。
【００３１】
前述の押圧手段１８はさらに、下部すり切り板１４をその重量に相当する力により計量室８に付勢する付勢手段８０を備えている。付勢手段８０は、下部エアバッグサポート５４の一対のばね受け凹部６２と下部案内板６０との間に取付けられた一対の圧縮コイルばね８２、８２を備えている。したがって、一個のばね８２により、下部すり切り板１４の一端がその重量の半分の力で支持され、さらにその重量の半分の力で計量室８に付勢される。すなわち、ばね８２一個の取付ばね力は、下部すり切り板１４の重量相当の力に設定されている。
【００３２】
空気輸送管路２は、圧力空気生成源としての例えばルーツブロワ８４に連結され、ルーツブロワ８４から吐出された圧力空気は、空気配管８６により上部案内板６８に流れ、矢印Ｋで示すように、上部案内板６８、上部エアバッグサポート５２、上部すり切り板１２の排出口４を流れ、回転テーブル１０の計量室８の上開口８ａから下開口８ｂを通り、下部すり切り板１４、下部エアバッグサポート５４、下部案内板６０を流れ、空気配管８８によって、粉体の輸送先に連結されている。
【００３３】
四個のエアバッグ１６各々の配管口金１６ａには、空気輸送管路２の粉体貯槽６の排出口４より上流の部分が分岐された空気配管９０が連結され、空気輸送管路２の圧力空気が導かれている。
【００３４】
図１〜図３とともに主として図４を参照して、押圧手段１８による押圧力及び計量室８からの押離力との関係について説明する。
【００３５】
（１）押圧力：
粉体供給装置に連結される空気輸送管路２の圧力空気の圧力をＰとし、エアバッグ１６一個の押圧面積をＳ１とすると、上部すり切り板１２及び下部すり切り板１４それぞれに設けられた二個のエアバッグ１６、１６により、上部すり切り板１２及び下部すり切り板１４各々に作用する押圧力は、
［Ｐ×Ｓ１×２個］になる。
【００３６】
（２）押離力：
一方、計量室８の上開口８ａ及び下開口８ｂの開口面積をそれぞれＳ２とすると、計量室８の側から上部すり切り板１２及び下部すり切り板１４それぞれに作用する押離力は、計量室８が排出口４の前後二箇所においてそれぞれ二個閉塞されるので、
［Ｐ×Ｓ２×２個×２箇所］の力になる。
なお、開口面積Ｓ２は、厳密には、上開口８ａ及び下開口８ｂの開口面積だけでなく、計量室８を形成する前述の内環４４、外環４８並びに隣り合った一対の仕切板４６、４６の部分も含めて計算される。
【００３７】
（３）付勢手段：
さらに、下部すり切り板１４は付勢手段８０によって、押圧手段１８により押圧される方向に、圧縮ばね８２二個により下部すり切り板１４の重量Ｗに相当する力で付勢される。
【００３８】
（４）実際の押圧力：
したがって、重量Ｗを有する上部すり切り板１２及び下部すり切り板１４各々を計量室８の方向に押付ける押圧力は、
上部すり切り板１２においては、［Ｐ×Ｓ１×２＋重量Ｗ］となり、
下部すり切り板１４においては、［Ｐ×Ｓ１×２＋付勢力Ｗ］になる。
ここで、エアバッグ１６の押圧面積Ｓ１は計量室８の開口面積Ｓ２の二倍の大きさ［Ｓ２×２］に規定されているので、これらの押圧力から押離力［Ｐ×Ｓ２×２個×２箇所］を差し引いた実際の押圧力は、［重量Ｗ相当の力］に設定される。
【００３９】
なお、上述の説明においては、付勢手段８０による付勢力として下部すり切り板１４の重量Ｗ相当の力が設定されているが、この付勢力の大きさは、粉体供給装置の大きさ、形態、扱う粉体の種類などによって、エアバッグサポート、エアバッグ、粉体などの重量が押圧力に影響する場合、また上部すり切り板と下部すり切り板で重量が異なる場合などにおいては、その重量を加算するなどして設定すればよい。
【００４０】
図１〜図４を参照して、上述したとおりの粉体供給装置の作用を説明する。
【００４１】
（１）押圧力を適切にすることができる：
上述のように、押圧手段１８を用いることにより、計量室８に上部すり切り板１２及び下部すり切り板１４を押し付ける実際の押圧力は、上述の実施の形態においては［重量Ｗ相当の力］になり、空気圧力Ｐの大きさが変動しても変わらない。すなわち、いかに空気輸送管路２の空気圧力Ｐが変化しても、計量室８に上部すり切り板１２及び下部すり切り板１４を押し付ける実際の押圧力は一定に保たれる。この実際の押圧力の大きさは、上部すり切り板１２及び下部すり切り板１４の重量などを任意に設定することにより任意の大きさにすることができる。そして、実際の押圧力を過度に大きくならないようにすることができる。したがって、計量室と閉塞部材との摺接部分の損傷する問題、粉塵が発生する問題、粉体の定量性が保持できなくなる問題、回転テーブルの駆動不具合の問題、などを解決することができる。
【００４２】
（２）エアバッグによる確実な押圧力：
エアバッグ１６には空気輸送管路２の粉体貯槽６の排出口４より上流の圧力空気が分岐され導かれるので、上流側の安定した圧力空気がエアバッグに導かれるとともに、排出された粉体、粉塵などの異物の混入することがなく、エアバッグ１６の機能不良、損傷などが防止され、確実な押圧力が得られる。
【００４３】
（３）摺動部の異物噛み込みによる損傷防止：
計量室８に摺接する上部すり切り板１２及び下部すり切り板１４は、変形自在なエアバッグ１６、また弾性部材である圧縮ばね８２によって押圧されるので、万一この摺接部分に硬い粉粒、異物などが噛み込まれても、エアバッグ１６、圧縮ばね８２などが変形しこの部分が開くので、摺動部分の破損が防止される。噛み込んだ粉粒、異物などは、回転テーブル１０の回転とともに排出口４に運ばれ排出される。
【００４４】
以上、本発明を実施の形態に基づいて詳細に説明したが、本発明は上記の実施の形態に限定されるものではなく、例えば下記のように、本発明の範囲内においてさまざまな変形あるいは修正ができるものである。
【００４５】
（１）エアバッグ：
本発明の実施の形態においては、押圧手段１８に同じエアバッグ１６を四個用いたが、例えば、排出口４の前後の前側閉塞部Ｚ１、後側閉塞部Ｚ２において押離力の大きさに違いがでるような場合などにおいては、エアバッグを４個同じものにしないで、押離力とバランスをとることができるように押圧面積の大きさの異なるものに変えてもよい。また、計量室８を挟んだ上下でエアバッグの大きさを変えてもよい。
【００４６】
（２）付勢手段：
本発明の実施の形態においては、下部すり切り板１４を下方から押上げる付勢手段８０が備えられているが、空気輸送管路２の空気圧力Ｐの変動が、扱う粉体の種類が一定、粉体輸送先が一定などにより比較的少ない場合には、付勢手段の設置を省略することもできる。また、上部すり切り板１２及び下部すり切り板１４の重量の違いなどにより必要であれば、上部すり切り板１２及び下部すり切り板１４の両方に付勢手段を設けてもよい。
【００４７】
（３）圧力空気の流れ：
本発明の実施の形態においては、空気輸送管路２を流れる圧力空気は排出口４の部分において矢印Ｋ（図１）で示すように、上方から下方に向かって流れているが、この流れの方向は、逆に下方から上方に向かうように空気輸送管路２を接続してもよい。
【００４８】
【発明の効果】
本発明に従って構成された粉体供給装置によれば、複数個の計量室を備える回転テーブルを利用して、粉体を連続的にかつ定量的に空気輸送管路に供給する粉体供給装置において、空気輸送管路と粉体貯槽内との間を閉塞させる閉塞部材を計量室に押付ける押圧力が、計量室の側から閉塞部材を押離そうとする押離力が変動しても実質上変動することがないように、また過度に押圧することがないようにし、計量室と閉塞部材の摺接部分が損傷する問題、粉塵が発生する問題、また粉体の定量性が保持できなくなる問題、さらに回転テーブルの駆動不具合の問題、などを解決することができるようにした、粉体供給装置が提供される。
【図面の簡単な説明】
【図１】本発明に従って構成された粉体供給装置の一実施形態主要部を示す、側面断面図。
【図２】図１のＡ−Ａ矢印方向に見た平面図。
【図３】図２のＢ−Ｂ矢印方向に見た断面図。
【図４】押圧力と押離力との関係を示した説明図。
【符号の説明】
２：空気輸送管路
４：排出口
６：粉体貯槽
８：排出口
８ａ：上開口
８ｂ：下開口
１０：回転テーブル
１２：上部すり切り板（上部閉塞部材）
１４：下部すり切り板（下部閉塞部材）
１６：エアバッグ
１８：押圧手段
８０：付勢手段
８２：圧縮ばね
Ｘ：導入部
Ｙ：排出部
Ｚ１：前側閉塞部
Ｚ２：後側閉塞部
Ｒ：回転方向
Ｐ：空気圧力
【図１】
0004463964.tif 000002
【図２】
0004463964.tif 000003
【図３】
0004463964.tif 000004
【図４】
0004463964.tif 000005